(57)【要約】【課題】ユーザが払戻金に気付かず、非接触カードを再度かざさなかった場合でも、払戻処理を行うことができるようにすることを目的とする。【解決手段】画像形成に係るジョブの実行後、残金が発生した場合に、残金に係る電子マネーが記録されていた記録媒体を識別する識別情報と、残金の金額情報と、を関連付けて情報保持装置に記録する記録手段と、ジョブとは異なるジョブの実行に関して記録媒体より記録媒体を識別する識別情報が読み出された場合、識別情報と同じ識別情報が情報保持装置に記憶されているか否かを判定する判定手段と、判定手段により記録媒体より読み出された識別情報と同じ識別情報が情報保持装置に記憶されていると判定された場合、識別情報と関連付けられて情報保持装置に記録されている残金の金額情報で示される金額を識別情報で識別される記録媒体に払い戻す払戻手段と、を有する。【選択図】図３
2015056145.tif 000002
【特許請求の範囲】
【請求項１】
画像形成に係るジョブの実行後、残金が発生した場合に、前記残金に係る電子マネーが記録されていた記録媒体を識別する識別情報と、前記残金と、を関連付けて情報保持装置に記録する記録手段と、
前記ジョブとは異なるジョブの実行に関して記録媒体より前記記録媒体を識別する識別情報が読み出された場合、前記識別情報と同じ識別情報が前記情報保持装置に記憶されているか否かを判定する判定手段と、
前記判定手段により前記記録媒体より読み出された識別情報と同じ識別情報が前記情報保持装置に記憶されていると判定された場合、前記識別情報と関連付けられて前記情報保持装置に記録されている前記残金を前記識別情報で識別される記録媒体に払い戻す払戻手段と、
を有することを特徴とする画像形成装置。
【請求項２】
前記払戻手段は、前記残金を表示部に表示し、払戻金があるため前記識別情報で識別される記録媒体をかざすようユーザに要求し、前記記録媒体と通信可能になった場合、前記残金を前記記録媒体に書き込むことで前記残金を前記識別情報で識別される記録媒体に払い戻すことを特徴とする請求項１記載の画像形成装置。
【請求項３】
前記払戻手段で残金が記録媒体に払い戻された場合、前記残金を前記情報保持装置に前記記録媒体を識別する識別情報と関連付けられている残金から減額するよう通知する通知手段を更に有することを特徴とする請求項１又は２記載の画像形成装置。
【請求項４】
画像形成に係るジョブの実行後、残金が発生した場合に、前記残金に係る電子マネーが記録されていた記録媒体を識別する識別情報と、前記残金と、を関連付けて情報保持装置に記録する記録手段と、
前記ジョブとは異なるジョブの実行に関して記録媒体より前記記録媒体を識別する識別情報が読み出された場合、前記識別情報と同じ識別情報が前記情報保持装置に記憶されているか否かを判定する判定手段と、
前記判定手段により前記記録媒体より読み出された識別情報と同じ識別情報が前記情報保持装置に記憶されていると判定された場合、前記識別情報と関連付けられて前記情報保持装置に記録されている前記残金を前記ジョブの実行に使用する使用手段と、
を有することを特徴とする画像形成装置。
【請求項５】
前記使用手段は、前記残金が前記ジョブの実行に必要な必要金額以上の場合、前記残金を利用して前記ジョブの実行を行い、前記残金が前記ジョブの実行に必要な必要金額より少ない場合、前記残金と前記識別情報で識別される記録媒体より引き落とした金額とを利用して前記ジョブの実行を行うことを特徴とする請求項４記載の画像形成装置。
【請求項６】
前記使用手段は、前記残金を前記ジョブの実行に使用する旨を表示部に表示し、前記残金を前記ジョブの実行に使用することを特徴とする請求項４又は５記載の画像形成装置。
【請求項７】
前記使用手段で残金が使用された場合、前記残金を前記情報保持装置に前記記録媒体を識別する識別情報と関連付けられている残金から減額するよう通知する通知手段を更に有することを特徴とする請求項４乃至６何れか１項記載の画像形成装置。
【請求項８】
前記情報保持装置は、画像形成装置の不揮発メモリであることを特徴とする請求項１乃至７何れか１項記載の画像形成装置。
【請求項９】
前記情報保持装置は、画像形成装置と通信可能なサーバ装置の不揮発メモリであることを特徴とする請求項１乃至７何れか１項記載の画像形成装置。
【請求項１０】
画像形成装置が実行する情報処理方法であって、
画像形成に係るジョブの実行後、残金が発生した場合に、前記残金に係る電子マネーが記録されていた記録媒体を識別する識別情報と、前記残金と、を関連付けて情報保持装置に記録する記録ステップと、
前記ジョブとは異なるジョブの実行に関して記録媒体より前記記録媒体を識別する識別情報が読み出された場合、前記識別情報と同じ識別情報が前記情報保持装置に記憶されているか否かを判定する判定ステップと、
前記判定ステップにより前記記録媒体より読み出された識別情報と同じ識別情報が前記情報保持装置に記憶されていると判定された場合、前記識別情報と関連付けられて前記情報保持装置に記録されている前記残金を前記識別情報で識別される記録媒体に払い戻す払戻ステップと、
を含むことを特徴とする情報処理方法。
【請求項１１】
画像形成装置が実行する情報処理方法であって、
画像形成に係るジョブの実行後、残金が発生した場合に、前記残金に係る電子マネーが記録されていた記録媒体を識別する識別情報と、前記残金と、を関連付けて情報保持装置に記録する記録ステップと、
前記ジョブとは異なるジョブの実行に関して記録媒体より前記記録媒体を識別する識別情報が読み出された場合、前記識別情報と同じ識別情報が前記情報保持装置に記憶されているか否かを判定する判定ステップと、
前記判定ステップにより前記記録媒体より読み出された識別情報と同じ識別情報が前記情報保持装置に記憶されていると判定された場合、前記識別情報と関連付けられて前記情報保持装置に記録されている前記残金を前記ジョブの実行に使用する使用ステップと、
を含むことを特徴とする情報処理方法。
【請求項１２】
コンピュータを請求項１乃至９何れか１項記載の画像形成装置の各手段として機能させるためのプログラム。
【発明の詳細な説明】
【技術分野】
【０００１】
本発明は、画像形成装置、情報処理方法及びプログラムに関する。
【背景技術】
【０００２】
近年、公共交通機関やスーパーマーケット等で前払い方式の非接触カードで決済を行う電子マネーが普及している。この決済方法では、サービスや商品の対価（金額）が確定した後、カード処理機に非接触カード（電子マネー）をかざすことにより、その金額を非接触カードから引き落とす。そのため、商品やサービスの提供後に金額が確定する販売形態の場合、より確実な決済を行うためには、決済が完了するまで非接触カードをカード処理機内部に保持する必要がある。しかし、このような保持する仕組みでは、カード処理機が複雑、かつ、高額になり、更に非接触カードの利便性が低下する。
この解決として、特許文献１ではコピーサービスを提供する前に予め必要金額を非接触カードから引き落しておき、実際の確定金額との差分が発生した場合に、直前の引き落としをキャンセルし、非接触カードから再度引き落としを行うことが提案されている。
【先行技術文献】
【特許文献】
【０００３】
【特許文献１】特開２０１１−１６４９８７号公報
【発明の概要】
【発明が解決しようとする課題】
【０００４】
しかしながら、特許文献１に記載の方法では、ユーザが払戻金に気付かず、非接触カードを再度かざさなかった場合、払戻処理を行うことができない問題があった。
【０００５】
本発明は、ユーザが払戻金に気付かず、非接触カードを再度かざさなかった場合でも、払戻処理を行うことができるようにすることを目的とする。
【課題を解決するための手段】
【０００６】
そこで、本発明は、画像形成装置であって、画像形成に係るジョブの実行後、残金が発生した場合に、前記残金に係る電子マネーが記録されていた記録媒体を識別する識別情報と、前記残金と、を関連付けて情報保持装置に記録する記録手段と、前記ジョブとは異なるジョブの実行に関して記録媒体より前記記録媒体を識別する識別情報が読み出された場合、前記識別情報と同じ識別情報が前記情報保持装置に記憶されているか否かを判定する判定手段と、前記判定手段により前記記録媒体より読み出された識別情報と同じ識別情報が前記情報保持装置に記憶されていると判定された場合、前記識別情報と関連付けられて前記情報保持装置に記録されている前記残金を前記識別情報で識別される記録媒体に払い戻す払戻手段と、を有する。
【発明の効果】
【０００７】
本発明によれば、ユーザが払戻金に気付かず、非接触カードを再度かざさなかった場合でも、払戻処理を行うことができるようにすることができる。
【図面の簡単な説明】
【０００８】
【図１】印刷システムのシステム構成の一例を示す図である。
【図２】非接触カードでの基本的な課金処理を説明するための図である。
【図３】実施形態１の払戻処理の詳細を示すフローチャートである。
【図４】表示画面を示す図である。
【図５】実施形態２の払戻処理の詳細を示すフローチャートである。
【図６】必要金額から預り金額分を減算する処理を説明するための図である。
【発明を実施するための形態】
【０００９】
以下、本発明の実施形態について図面に基づいて説明する。
【００１０】
＜実施形態１＞
図１は、印刷システムのシステム構成の一例を示す図である。
画像形成装置１０１は、コントローラユニット１０２、表示部１０３、操作部１０４、プリンタユニット１０５、スキャナユニット１０６から構成される。
表示部１０３は、ＬＥＤや液晶ディスプレイを備え、オペレータの操作内容や装置の内部状態を表示する。操作部１０４は、オペレータからの操作を受け付ける。操作部１０４は、複数の操作ボタンを備えるだけでなく、表示部１０３と共にタッチディスプレイとして実現される場合もある。
プリンタユニット１０５は、コントローラユニット１０２からプリント指示で、コントローラユニット１０２から送信されてくる画像データを印刷用紙にプリントする。プリンタユニット１０５は、コントローラユニット１０２とは、デバイス制御Ｉ／Ｆ１１４を介して接続されている。
スキャナユニット１０６は、コントローラユニット１０２からのスキャン指示を受け付け、スキャン動作を行い、その画像データをコントローラユニット１０２に送信する。スキャナユニット１０６は、コントローラユニット１０２とは、デバイス制御Ｉ／Ｆ１１４を介して接続されている。
【００１１】
コントローラユニット１０２は、ＣＰＵ１０７、ＲＯＭ１０８、ＲＡＭ１０９、ＨＤＤ１１０、ＥＥＰＲＯＭ１１１、表示部Ｉ／Ｆ１１２、操作部Ｉ／Ｆ１１３、デバイス制御Ｉ／Ｆ１１４、ネットワークＩ／Ｆ１１５から構成されている。
ＣＰＵ１０７は、画像形成装置１０１に内蔵されるプログラムの実行媒体であり、各Ｉ／Ｆや記憶媒体のメモリ等を介して、コントローラユニット１０２に接続されるデバイスの動作を制御する。
ＲＯＭ１０８は、読み取り専用メモリであり、システム起動に必要なブートプログラム等を記憶している。
ＲＡＭ１０９は、揮発メモリであり、プログラムを実行する際に必要とするワークメモリである。
ＨＤＤ１１０は、磁気ディスク等の記憶媒体であり、制御プログラムや画像データ等を記憶している。
ＥＥＰＲＯＭ１１１は、不揮発メモリであり、プログラムが実行する際に必要となる設定値等を記憶している。課金の計算に必要となる単価設定等もＥＥＰＲＯＭ１１１に記憶されている。
【００１２】
デバイス制御Ｉ／Ｆ１１４は、コントローラユニットに接続されるデバイス（プリンタユニット１０５、スキャナユニット１０６、非接触カード処理機１１８）との入出力を制御する。デバイスＩ／Ｆ１１４は、複数デバイスが接続可能なバス構造として実現されるだけでなく、複数のＩ／Ｆに分割されて、接続されるデバイスと１対１でＩ／Ｆが備えられる場合もある。
表示Ｉ／Ｆ１１２は、表示部１０３へ制御情報を出力する。
操作部Ｉ／Ｆ１１３は、操作部１０４から入力情報を受け付ける。
画像形成装置１０１は、ネットワークＩ／Ｆ１１５を介してＬＡＮ／ＷＡＮ１１６に接続し、ＬＡＮ／ＷＡＮ１１６の先にある管理サーバ１１７へ課金に関連する情報、預り金学に関する情報の通知や取得を行う。
また、画像形成装置１０１は、デバイス制御Ｉ／Ｆ１１４を介して非接触カード処理機１１８と通信し、非接触カードの読み取り、又は書き込みを行う。
非接触カードは、電子マネーが記録された記録媒体の一例である。
ＣＰＵ１０７がＨＤＤ１１０に記憶されているプログラムをＲＡＭ１０９に展開し、実行することにより、画像形成装置１０１の機能や後述するフローチャートに係る情報処理が実現される。
【００１３】
図２は、非接触カードでの基本的な課金処理を、コピージョブを例に説明するための図である。
まず、ユーザはスキャナユニット１０６の読み取り部に原稿を置き、操作部１０４を使用しコピージョブに関する設定を行い、コピージョブを投入する。
Ｓ２０１で、ＣＰＵ１０７は、コピージョブ投入を受け付ける。
Ｓ２０２で、ＣＰＵ１０７は、スキャナユニット１０６へスキャン開始指示を行い、スキャン動作が開始する。
Ｓ２０３で、ＣＰＵ１０７は、必要金額を計算し、表示部１０３に表示する。ユーザが非接触カード処理機１１８に非接触カードをかざすと、ＣＰＵ１０７は、非接触カード処理機１１８に引落指示を行う。
引落後、Ｓ２０４で、ＣＰＵ１０７は、画像データのプリントを行う。
最後に、Ｓ２０５で、ＣＰＵ１０７は、実際のプリントの確定金額を計算し、もし払戻金がある場合、払戻処理を行う。詳細な払戻処理は後述する図３又は図５のフローチャートで説明する。
【００１４】
次に、図３は、実施形態１の払戻処理の詳細を示すフローチャートである。実施形態１では、非接触カードへの払戻処理が行われなかった場合でも、次回、非接触カードをかざした場合に払戻処理を行う。
Ｓ３０１で、ＣＰＵ１０７は、操作部Ｉ／Ｆ１１３を介して操作部１０４からのジョブ投入指示を受け付ける。コピージョブであれば、ＣＰＵ１０７は、デバイス制御Ｉ／Ｆ１１４を介してスキャナユニット１０６にスキャン開始指示を行う。
Ｓ３０２で、ＣＰＵ１０７は、必要金額の計算を行う。必要金額とは、ジョブを正常に完了できた場合に必要となる予測の金額である。ＣＰＵ１０７は、プリントする予定の色モードや紙サイズ等の情報と、ＥＥＰＲＯＭ１１１に設定されている単価設定の情報と、を基に必要金額を計算する。
【００１５】
Ｓ３０３で、ＣＰＵ１０７は、Ｓ３０２で計算した必要金額と合わせて、カード要求画面を表示部Ｉ／Ｆ１１２を介して表示部１０３に表示する。その際の画面表示の一例を図４の（ａ）に示す。図４の（ａ）のカード要求画面４０１はメッセージ表示部４０２とキャンセルボタン４０３とから構成されている。ＣＰＵ１０７は、非接触カードが非接触カード処理機１１８にかざされるか、キャンセルボタン４０３が押下されるまで表示を続ける。キャンセルボタン４０３が押下された場合、Ｓ３０４でキャンセル指示を判断し、ＣＰＵ１０７は、課金処理を中止する。Ｓ３０５で、ＣＰＵ１０７は、非接触カードが非接触カード処理機１１８にかざされているか判断し、かざされていない場合は、Ｓ３０４に戻る。かざされている場合は、ＣＰＵ１０７は、Ｓ３０６の処理に移る。
Ｓ３０６で、ＣＰＵ１０７は、デバイス制御Ｉ／Ｆ１１４を介して非接触カード処理機１１８から、かざされた非接触カードのカードＩＤと残高と、を取得する。
カードＩＤは、非接触カードを識別する識別情報の一例である。
Ｓ３０７で、ＣＰＵ１０７は、管理サーバ１１７へカードＩＤの通知を行う。
Ｓ３０８で、ＣＰＵ１０７は、前記カードＩＤに対応した預り金額を管理サーバ１１７より取得する。預り金額とは、非接触カードに払い戻せていない金額の累計である。
つまり、本実施形態では、管理サーバ１１７の不揮発メモリ等において、残金に係る電子マネーが記録されていた非接触カードを識別するカードＩＤと、前記残金（非接触カードに払い戻せていない金額の累計）とが、関連付けられて記録されている。本実施形態では、これらの関連付けられた情報は、管理サーバ１１７の不揮発メモリ等に記録されるものとして以下説明を行うが、画像形成装置１０１のＨＤＤ１１０等に記録されてもよい。管理サーバ１１７の不揮発メモリや画像形成装置１０１のＨＤＤ１１０等は、情報保持装置の一例である。
【００１６】
Ｓ３０９で、ＣＰＵ１０７は、預り金額の有無を確認する。預り金額がある場合は、Ｓ３１０、Ｓ３１１の払戻処理を行い、預り金額がない場合は、払戻処理を行わずにＳ３１２に移る。
つまり、ＣＰＵ１０７は、Ｓ３０９において、非接触カード処理機１１８にかざされた非接触カードより取得されたカードＩＤと同じカードＩＤが管理サーバ１１７に残金の金額情報と関連付けられて記憶されているか否かを判定する。
Ｓ３１０で、ＣＰＵ１０７は、払戻処理を行うために管理サーバ１１７にカードＩＤと預り金額とを含む預り金額の減額通知を行う。これを受けた管理サーバ１１７は、カードＩＤに対応した預り金額を更新する。
Ｓ３１１で、ＣＰＵ１０７は、デバイス制御Ｉ／Ｆ１１４を介して非接触カード処理機１１８に預り金額分の加算指示を行う。これにより、非接触カードに保持されている電子マネーの残高が増加する。
ここで、Ｓ３１０とＳ３１１との処理の順序は逆であってもよい。
【００１７】
次にＳ３１２で、ＣＰＵ１０７は、残金不足の確認を行う。ＣＰＵ１０７は、非接触カードの残高と、Ｓ３０２で計算した必要金額と、を比較し、残金不足の判断を行う。
不足している場合、Ｓ３１３で、ＣＰＵ１０７は、残金不足画面を表示部Ｉ／Ｆ１１２を介して表示部１０３に表示する。その際の画面表示の一例を図４の（ｂ）に示す。図４の（ｂ）の残金不足画面４０４は、メッセージ表示部４０５とＯＫボタン４０６とから構成されている。ＯＫボタン４０６が押下されると、ＣＰＵ１０７は、Ｓ３０３に移り、カード要求画面を再度表示する。Ｓ３１２で不足していない場合、ＣＰＵ１０７は、Ｓ３１４へ移る。
Ｓ３１４で、ＣＰＵ１０７は、デバイス制御Ｉ／Ｆ１１４を介して非接触カード処理機１１８に必要金額分の減算指示を行う。これにより、非接触カードに保持されている電子マネーの残高が減少する。
減算処理後、Ｓ３１５で、ＣＰＵ１０７は、デバイス制御Ｉ／Ｆ１１４を介してプリンタユニット１０５にプリント指示を行う。
【００１８】
プリント処理後、Ｓ３１６で、ＣＰＵ１０７は、確定金額の計算を行う。確定金額とは、ジョブ実行後、実際に必要となった金額である。正常終了した場合、Ｓ３０２で計算した必要金額と確定金額とは通常合致するが、ジャム等で正常終了できなかった場合、差分が発生する。
Ｓ３１７で、ＣＰＵ１０７は、金額の差分が発生し、払戻処理が必要か確認する。払戻金がない場合、ＣＰＵ１０７は、課金処理を終了する。払戻金がある場合、ＣＰＵ１０７は、Ｓ３１８以降の処理を行う。
Ｓ３１８で、ＣＰＵ１０７は、払戻通知画面を表示部Ｉ／Ｆ１１２を介して表示部１０３に表示する。その際の画面表示の一例を図４の（ｃ）に示す。図４の（ｃ）の払戻通知画面４０７は、メッセージ表示部４０８とキャンセルボタン４０９とから構成されている。ＣＰＵ１０７は、非接触カードが非接触カード処理機１１８にかざされるか、キャンセルボタン４０９が押下されるまで表示を続ける。
【００１９】
キャンセルボタン４０９が押下された場合、Ｓ３１９で、ＣＰＵ１０７は、キャンセル指示を判断し、非接触カードへの払戻処理を中止し、Ｓ３２３に移る。
Ｓ３２３で、ＣＰＵ１０７は、管理サーバ１１７にカードＩＤと払戻金額とを含む払戻金額の通知を行う。これを受けた管理サーバ１１７は、メモリ等に記録しているカードＩＤに対応した預り金額に、今回の払戻金額を加算し、預り金額を更新する。
Ｓ３２４で、ＣＰＵ１０７は、管理サーバへの払戻完了画面を表示部Ｉ／Ｆ１１２を介して表示部１０３に表示する。その際の画面表示の一例を図４の（ｄ）に示す。図４の（ｄ）の管理サーバへの払戻完了画面４１３は、メッセージ表示部４１４とＯＫボタン４１５とから構成されている。ＯＫボタン４１５が押下されると、ＣＰＵ１０７は、課金処理を終了する。
【００２０】
Ｓ３２０で、ＣＰＵ１０７は、非接触カードが非接触カード処理機１１８にかざされているか判断し、かざされていない場合は、Ｓ３１９に戻り、かざされている場合は、Ｓ３２１の処理に移る。つまり、Ｓ３２０で、ＣＰＵ１０７は、非接触カードが非接触カード処理機１１８にかざされていて、非接触カードと通信可能か否かを判定する。
Ｓ３２１で、ＣＰＵ１０７は、デバイス制御Ｉ／Ｆ１１４を介して非接触カード処理機１１８に払戻金額分の加算指示を行う。これにより、非接触カードに保持されている残高が増加する。
Ｓ３２２で、ＣＰＵ１０７は、非接触カードへの払戻完了画面を表示部Ｉ／Ｆ１１２を介して表示部１０３に表示する。その際の画面表示の一例を図４（ｅ）に示す。図４（ｅ）の非接触カードへの払戻完了画面４１０は、メッセージ表示部４１１とＯＫボタン４１２とから構成されている。ＯＫボタン４１２を押下すると、ＣＰＵ１０７は、課金処理を終了する。
以上の一連の処理により、非接触カードへの払戻処理が行われなかった場合でも、次回、非接触カードをかざした場合に払戻が行われる。
【００２１】
＜実施形態２＞
実施形態１では、非接触カード処理機に払戻権限が与えられている場合だが、払戻権限が与えられていない場合の処理を実施形態２では説明する。
図５は、実施形態２の払戻処理の詳細を示すフローチャートである。
Ｓ５０１〜Ｓ５０８は、実施形態１のＳ３０１〜Ｓ３０８と同じため、説明は省略する。
Ｓ５０９で、ＣＰＵ１０７は、預り金額の有無を確認する。ＣＰＵ１０７は、預り金額がある場合、Ｓ５１０〜Ｓ５１２に示す預り金額を利用するための処理を行い、預り金額がない場合、Ｓ５１３に移る。
Ｓ５１０で、ＣＰＵ１０７は、預り金額利用の画面を表示部Ｉ／Ｆ１１２を介して表示部１０３に表示する。その際の画面表示の一例を図４の（ｆ）に示す。図４の（ｆ）の預り金額利用画面４１６は、メッセージ表示部４１７とＯＫボタン４１８とから構成されている。ＯＫボタン４１８が押下されると、ＣＰＵ１０７は、預り金額利用画面４１６を閉じる。
【００２２】
Ｓ５１１で、ＣＰＵ１０７は、必要金額から預り金額分の減算を行う。より具体的な減算方法については、後述する図６で説明する。
Ｓ５１２で、ＣＰＵ１０７は、管理サーバ１１７にカードＩＤと預り金額とを含む減額通知を行う。これを受けた管理サーバ１１７は、カードＩＤに対応した預り金額を更新する。
Ｓ５１３〜Ｓ５１７は、実施形態１のＳ３１２〜Ｓ３１６と同じため、説明は省略する。
Ｓ５１８で、ＣＰＵ１０７は、金額の差分が発生し、払戻処理が必要か確認する。払戻金がない場合、ＣＰＵ１０７は、課金処理を終了する。払戻金がある場合、ＣＰＵ１０７は、Ｓ５１９以降の処理を行う。
【００２３】
Ｓ５１９で、ＣＰＵ１０７は、管理サーバ１１７にカードＩＤと払戻金額とを含む払戻金額通知を行う。これを受けた管理サーバ１１７は、カードＩＤに対応した預り金額に、今回の払戻金額を加算し、預り金額を更新する。
Ｓ５２０で、ＣＰＵ１０７は、管理サーバへの払戻完了画面を表示部Ｉ／Ｆ１１２を介して表示部１０３に表示する。その際の画面表示の一例は、実施形態１と同じである。ＯＫボタン４１５を押下されると、ＣＰＵ１０７は、課金処理を終了する。
【００２４】
次に、Ｓ５１１の必要金額から預り金額分を減算するより具体的な処理を、図６を用いて説明する。図６に示す利用可能金額は、管理サーバ１１７に保持されている預り金額と、非接触カードの残高と、を加算したものである。ユーザは、利用可能金額の範囲でサービスを利用することができる。預り金額が必要金額以上の場合、必要金額の全てが預り金額から支払われ、残った預り金額は次回利用できる。逆に、預り金額が必要金額より少ない場合、預り金額の全てと非接触カードの残高とから支払われる。
以上の一連の処理により、非接触カード処理機に払戻権限が与えられていない場合でも、ユーザは次回利用時に払戻金額分を利用することができるようになる。
【００２５】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【００２６】
以上、上述した各実施形態によれば、払戻金にユーザが気付かず、非接触カードへの払戻処理が行われなかった場合でも、次回利用時に非接触カードがかざされた際に払戻処理が行われる。そのため、ユーザが不利益を受けることがなくなる。また、払戻処理を行わずにユーザが立ち去った場合でも、別のユーザが払戻処理をキャンセルすることで処理を進めることができる。つまり、ユーザが払戻金に気付かず、非接触カードを再度かざさなかった場合でも、払戻処理を行うことができるようにすることができる。
また、カード処理機にチャージやキャンセルする権限を持たなくても、払戻処理を行うことができ、次回利用時に使用することができる。
【００２７】
以上、本発明の好ましい実施形態について詳述したが、本発明は係る特定の実施形態に限定されるものではなく、特許請求の範囲に記載された本発明の要旨の範囲内において、種々の変形・変更が可能である。
例えば、上述した実施形態では、非接触カードを例に説明を行ったが、電子マネーが記録されたＩＣチップ等を有する携帯電話やスマートフォン等の可搬の情報端末であってもよい。
【図１】
2015056145.tif 000003
【図２】
2015056145.tif 000004
【図３】
2015056145.tif 000005
【図４】
2015056145.tif 000006
【図５】
2015056145.tif 000007
【図６】
2015056145.tif 000008